(57)【要約】【課題】ユーザが呼吸の３様態を認識しやすくする照明装置を提供する。【解決手段】照明装置は、第１光を発する第１光源、及び第１光と異なる色度を有する第２光を発する第２光源を少なくとも含む複数の光源と、第１光、及び第２光の各々の出力を時間的に変化させる制御部と、を備え、制御部は、複数の光源が発する光を合算した合算光の刺激純度、及び輝度を時間的に変化させるよう構成され、刺激純度、及び輝度を変数とする座標系において、合算光の刺激純度、及び輝度を表す移動点は、互いに異なる第１点、第２点、第３点、及び第１点を結ぶパス上を、第１点、第２点、第３点、及び第１点の順に移動する。【選択図】図１
2019146729.tif 000002
【特許請求の範囲】
【請求項１】
第１光を発する第１光源、及び前記第１光と異なる色度を有する第２光を発する第２光源を少なくとも含む複数の光源と、
前記第１光、及び前記第２光の各々の出力を時間的に変化させる制御部と、を備え、
前記制御部は、前記複数の光源が発する光を合算した合算光の刺激純度、及び輝度を時間的に変化させるよう構成され、
前記刺激純度、及び前記輝度を変数とする座標系において、前記合算光の前記刺激純度、及び前記輝度を表す移動点は、互いに異なる第１点、第２点、第３点、及び前記第１点を結ぶパス上を、前記第１点、前記第２点、前記第３点、及び前記第１点の順に移動する
照明装置。
【請求項２】
前記移動点は、前記パス上を、前記第１点、前記第２点、前記第３点、及び前記第１点の順に循環的に移動する
請求項１に記載の照明装置。
【請求項３】
前記移動点は、前記パス上を、前記第１点、前記第２点、前記第３点、前記第２点、及び前記第１点の順に移動する
請求項１又は２に記載の照明装置。
【請求項４】
前記第１点、前記第２点、及び前記第３点のうちの２点において、前記刺激純度、及び前記輝度のうちの１つが同じである
請求項１から３のいずれか１項に記載の照明装置。
【請求項５】
前記第１点から前記第２点の期間においては、前記刺激純度、及び前記輝度が単調に増加し、
前記第２点から前記第３点の期間においては、前記刺激純度が単調に増加し、前記輝度は一定であり、
前記第３点から前記第１点の期間においては、前記刺激純度、及び前記輝度が単調に減少する
請求項１から４のいずれか１項に記載の照明装置。
【請求項６】
前記第１点から前記第２点の期間においては、前記刺激純度が単調に増加し、前記輝度が一定であり、
前記第２点から前記第３点の期間においては、前記刺激純度が一定であり、前記輝度は単調に増加し、
前記第３点から前記第１点の期間においては、前記刺激純度、及び前記輝度が単調に減少する
請求項１から４のいずれか１項に記載の照明装置。
【請求項７】
前記第１点から前記第２点の期間においては、前記刺激純度、及び前記輝度が単調に増加し、
前記第２点から前記第３点の期間においては、前記刺激純度が一定であり、前記輝度は単調に減少し、
前記第３点から前記第１点の期間においては、前記刺激純度が単調に減少し、前記輝度は一定である
請求項１から４のいずれか１項に記載の照明装置。
【請求項８】
前記第１点から前記第２点の期間においては、前記刺激純度、及び前記輝度が単調に増加し、
前記第２点から前記第３点の期間においては、前記刺激純度が単調に減少し、前記輝度は一定であり、
前記第３点から前記第１点の期間においては、前記刺激純度、及び前記輝度が単調に減少する
請求項１から４のいずれか１項に記載の照明装置。
【請求項９】
前記移動点が前記パスを第１周期かけて循環的に移動し、前記第１周期の後に前記移動点が前記パスを第２周期かけて循環的に移動するとき、前記第１周期は、第２周期と異なる
請求項１から４のいずれか１項に記載の照明装置。
【請求項１０】
前記複数の光源は、楕円式：中心座標（0.333,0.333)、長半径ａ（0.047）、短半径b（0.019）、長軸のx軸に対する傾きθ（deg）（59）で定義される白色の基本色名領域円の内側の光を出す発光素子と、単色の発光ダイオードとを含む
請求項１から４及び９のいずれか１項に記載の照明装置。
【請求項１１】
前記制御部は、前記移動点が前記第１点から前記第２点及び前記第３点を経由して前記第１点に戻るまでの周期を、音楽のテンポに応じて変化させる
請求項１から４及び９から１０のいずれか１項に記載の照明装置。
【発明の詳細な説明】
【技術分野】
【０００１】
光源が発する光を周期的に変化させる照明装置に関する。
【背景技術】
【０００２】
特許文献１のように、光源が発する光の輝度だけを周期的に変化させる照明装置が知られている。
【先行技術文献】
【特許文献】
【０００３】
【特許文献１】特開２００３−１７５１０９号公報
【発明の概要】
【発明が解決しようとする課題】
【０００４】
呼吸について、吸気、止め、及び呼気の３つの状態（呼吸の３様態という）が考えられる。体のストレッチについても、伸び、止め、及び縮みの３つの状態が考えられ、これらは、それぞれ呼吸の吸気、止め、及び呼気に関連付けられ得る。呼吸の３様態をユーザに認識させたいとき、光の輝度だけを変化させてもせいぜい２様態（呼気及び吸気）しかユーザには認識させられないことに本発明者らは気付いた。
【課題を解決するための手段】
【０００５】
ある実施形態において、照明装置は、第１光を発する第１光源、及び前記第１光と異なる色度を有する第２光を発する第２光源を少なくとも含む複数の光源と、前記第１光、及び前記第２光の各々の出力を時間的に変化させる制御部と、を備え、前記制御部は、前記複数の光源が発する光を合算した合算光の刺激純度、及び輝度を時間的に変化させるよう構成され、前記刺激純度、及び前記輝度を変数とする座標系において、前記合算光の前記刺激純度、及び前記輝度を表す移動点は、互いに異なる第１点、第２点、第３点、及び前記第１点を結ぶパス上を、前記第１点、前記第２点、前記第３点、及び前記第１点の順に移動する。
【発明の効果】
【０００６】
ユーザが呼吸の３様態を認識しやすくする照明装置を提供できる。
【図面の簡単な説明】
【０００７】
【図１】照明装置のブロック図である。
【図２】第１光と第２光との間で変化する合算光の色度変化を示す図である。
【図３】合算光の刺激純度、合算光の輝度、及び合算光の刺激純度及び輝度を順序対として得られる移動点の軌跡であるパスを示す図である。
【図４】合算光の刺激純度、合算光の輝度、及び合算光の刺激純度及び輝度を順序対として得られる移動点の軌跡であるパスを示す図である。
【図５】合算光の刺激純度、合算光の輝度、及び合算光の刺激純度及び輝度を順序対として得られる移動点の軌跡であるパスを示す図である。
【図６】合算光の刺激純度、合算光の輝度、及び合算光の刺激純度及び輝度を順序対として得られる移動点の軌跡であるパスを示す図である。
【図７】合算光の刺激純度、合算光の輝度、及び合算光の刺激純度及び輝度を順序対として得られる移動点の軌跡であるパスを示す図である。
【図８】合算光の刺激純度、合算光の輝度、及び合算光の刺激純度及び輝度を順序対として得られる移動点の軌跡であるパスを示す図である。
【図９】合算光の刺激純度、及び合算光の輝度を示す図である。
【図１０】制御部の構造を示すブロック図である。
【図１１】色度変化を光源の出力に与える処理のアルゴリズムを示すフロー図である。
【発明を実施するための形態】
【０００８】
概要
図１は、照明装置１００のブロック図である。照明装置１００は、入力装置１１０、制御装置１２０、及び光源１３０を含む。制御装置１２０は、制御部１２２及び駆動部１２４を含む。
【０００９】
照明装置１００は、直接照明又は間接照明、及びそれらの組み合わせを実現する。直接照明は、例えば、シーリングライト、ダウンライトである。間接照明は、例えば、コファー照明、コーニス照明、及びコーブ照明、並びにこれらの組み合わせである。照明装置１００は、光源１３０が発する光の刺激純度及び輝度の周期的な変化により、ユーザにリラックス感を与えたり、呼吸の繰り返しのリズムを合わせやすくしたりする。照明装置１００は、典型的には屋内のユーザがリラックスしようとしている近傍に配置される。
【００１０】
入力装置１１０は、ユーザが選んだ照明装置１００の動作パラメータを制御部１２２に伝える。そのような動作パラメータは、例えば、照明装置１００のオン、オフや、照明装置１００の光の刺激純度及び輝度の時間的変化の周期を表す。入力装置１１０は、例えば、機械的又は電子的なスイッチである。入力装置１１０は、照明装置１００の筐体上に設けられてもよく、照明装置１００とは別個の筐体に設けられてもよい。前者の場合、入力装置１１０は、制御部１２２とは筐体内に設けられた配線で結合される。後者の場合、入力装置１１０は、制御部１２２とは無線で結合される。無線での結合は、例えば、赤外光又は電磁波による動作パラメータの伝送によって実現される。
【００１１】
制御部１２２は、光源１３０から放射される光の刺激純度及び輝度を時間的に変化させる制御信号を発生し、駆動部１２４に送る。制御部１２２は、例えば、プロセッサ及びメモリで実現され、後述の制御方法を実現する。
【００１２】
駆動部１２４は、制御部１２２から制御信号を受け取り、光源１３０を駆動する。駆動部１２４は、制御信号に基づいて、光源１３０から放射される光の刺激純度及び輝度を時間的に変化させる。駆動部１２４は、例えば、パルス幅変調（ＰＷＭ）によって光源１３０の出力を変化させる。
【００１３】
光源１３０は、例えば、発光ダイオード（ＬＥＤ）である。ある実施形態では、光源１３０は、複数のグループのＬＥＤ群を含む。図１の実施形態では、光源１３０は、第１光源１３２及び第２光源１３４を含む。第１光源１３２が第１光を発し、第２光源１３４が第２光を発するとする。本実施形態では、第２光は、第１光と異なる色度を有する。
【００１４】
制御部１２２は、少なくとも第１光及び第２光の一方の出力を時間的に変化させることによって、第１光源１３２が発する第１光及び第２光源１３４が発する第２光を合算した合算光の色度を、第１色度と、第２色度との間で連続的に反復して変化させる。第１色度は有彩色であり、第２色度は無彩色、又は第１色度よりは無彩色に近い色である。「連続的」とは、ヒトの目に連続的である認識できる程度であればよく、認識できない程度の不連続点を含んでもよい。「反復」とは、例えば色度の変化が複数回、繰り返されることを意味する。
【００１５】
第１光源１３２及び第２光源１３４は、例えば、Ｒ（赤）Ｗ（白）、Ｇ（緑）Ｗ、Ｂ（青）Ｗ、ＲＧ、ＹＢ等のうちの一つの組み合わせの第１光及び第２光を発する。例えば、第１光源１３２は、Ｒの第１光を発し、第２光源１３４は、Ｗの第２光を発する。より具体的には、第１光源１３２及び第２光源１３４は、JIS Z 8110-1995  色の表示方法−光源色の色名にて定義される白色の基本色名領域内（等エネルギー白色色度を中心とするマクアダム楕円２５ステップ楕円式：中心座標（0.333,0.333)、長半径ａ（0.059）、短半径b（0.024）、長軸のx軸に対する傾きθ（deg）（59））の光を出す発光素子と、単色の発光ダイオードとである。さらに好ましくは、非調光調色時（定常状態）で白色と認識される等エネルギー白色色度近傍（マクアダム楕円５ステップ楕円式：中心座標中（0.333,0.333)、長半径ａ（0.012）、短半径b（0.005）、長軸のx軸に対する傾きθ（deg）（59））の光を出す発光素子と、単色発光ダイオードである。
【００１６】
光源１３０は、３つのグループのＬＥＤ群（第１光源、第２光源、及び第３光源）を含んでもよい。この場合、第１光源、第２光源、及び第３光源は、例えばＲ（主波長λd：610 nm）、Ｇ（主波長λd：530 nm）、Ｂ（主波長λd：450 nm）をそれぞれ発する。
【００１７】
光源１３０は、４つのグループのＬＥＤ群（第１光源、第２光源、第３光源、及び第４光源）を含んでもよい。この場合、第１光源、第２光源、第３光源、及び第４光源は、例えばＲ、Ｇ、Ｂ、及びＷを発する。代替として、第１光源、第２光源、第３光源、及び第４光源は、例えばＲ（主波長λd：620 nm）、Ｙ（黄）（主波長λd： 570 nm）、Ｇ（主波長λd：525 nm）、Ｂ（主波長λd：460 nm）をそれぞれ発する。
【００１８】
照明装置１００は、入力装置１１０、制御装置１２０、及び光源１３０を含んでもよいが、入力装置１１０を含まなくてもよい。この場合は、入力装置１１０は、別個の要素として実現される。さらに制御装置１２０だけを筐体に設け、光源１３０を外付けにして実現してもよい。
【００１９】
合算光の色度変化
図２は、第１光と第２光との間で変化する合算光の色度変化２００を示す図である。点２０１は、等エネルギー白色を表す。領域２０２は、基本色名「白」の領域を表す。制御部１２２は、合算光２１０が例えば第１光の第１色度２１１と第２光の第２色度２１２との間を連続的に往復するよう変化させる。すなわち合算光２１０は、第１色度２１１から第２色度２１２へと変化し、再び第１色度２１１へ戻る。第１色度２１１から第２色度２１２への変化において、典型的には色度は連続的に変化する。色度の連続的な変化は、ユーザのリラックス効果を改善するために好ましい。この例では、第１光の第１色度２１１は青い光であり、第２光の第２色度２１２は白ではない薄い青い光である。
【００２０】
合算光２１０は、青系の色には限定されず、任意の適切な色であり得る。例えば合算光２２０が第１光の第１色度２２１と第２光の第２色度２２２との間を連続的に往復するよう変化させられてもよい。この場合、第１色度２２１はオレンジ色の光であり、第２色度２２２は白ではない薄いオレンジ色の光である。
【００２１】
合算光の刺激純度及び輝度の変化パターン
光は、一般に明るさと色で表現できる、具体的には明るさは輝度、色は色度によって規定される。さらに色度は、色相及び刺激純度によって規定される。これら光のパラメータのうち、制御部１２２は、以下に詳述するパターンのように、合算光の刺激純度及び輝度を変化させる。
【００２２】
パターン１
図３は、合算光の刺激純度３１０、合算光の輝度３２０、及び合算光の刺激純度及び輝度を順序対として得られる移動点の軌跡であるパス３３０を示す図である。時刻ｔ１〜ｔ２を期間Ｐ１、時刻ｔ２〜ｔ３を期間Ｐ２、時刻ｔ３〜ｔ４を期間Ｐ３と呼ぶ。時刻ｔ１、ｔ２、ｔ３、及びｔ４は、パス３３０において第１点３３１、第２点３３２、第３点３３３、及び第１点３３１にそれぞれ対応する。
【００２３】
制御部１２２は、第１光源１３２が発する第１光及び第２光源１３４が発する第２光を合算した合算光の刺激純度及び輝度を、刺激純度３１０及び輝度３２０のように時間的に変化させる。刺激純度及び輝度を変数とする座標系において、合算光の刺激純度及び輝度を表す移動点は、第１点３３１、第２点３３２、第３点３３３、及び第１点３３１を結ぶパス上を、第１点３３１、第２点３３２、第３点３３３、及び第１点３３１の順に循環的に移動する。
【００２４】
パス３３０において、第１点３３１から第２点３３２の期間（期間Ｐ１）においては、刺激純度３１０及び輝度３２０が単調に増加する。第２点３３２から第３点３３３の期間（期間Ｐ２）においては、刺激純度３１０が単調に増加し、輝度３２０は一定である。第３点３３３から第１点３３１の期間（期間Ｐ３）においては、刺激純度３１０及び輝度３２０が単調に減少する。
【００２５】
本開示において、期間Ｐ１、Ｐ２、及びＰ３は、呼吸の３様態である吸気、止め、及び呼気にそれぞれ対応する。図３のパターン１による合算光は、期間Ｐ１は明るく、期間Ｐ２は鮮やかであり、期間Ｐ３はごく暗いといえる。このため、明るく、鮮やかな状態変化ステップが多く、膨張感を感じやすい。急速に明るくなるため、短い吸気で止め、呼気を長めにする呼吸変化に向いている。
【００２６】
パターン２
図４は、合算光の刺激純度４１０、合算光の輝度４２０、及び合算光の刺激純度及び輝度を順序対として得られる移動点の軌跡であるパス４３０を示す図である。時刻ｔ１〜ｔ２を期間Ｐ１、時刻ｔ２〜ｔ３を期間Ｐ２、時刻ｔ３〜ｔ４を期間Ｐ３と呼ぶ。時刻ｔ１、ｔ２、ｔ３、及びｔ４は、パス４３０において第１点４３１、第２点４３２、第３点４３３、及び第１点４３１にそれぞれ対応する。
【００２７】
制御部１２２は、第１光源１３２が発する第１光及び第２光源１３４が発する第２光を合算した合算光の刺激純度及び輝度を、刺激純度４１０及び輝度４２０のように時間的に変化させる。刺激純度及び輝度を変数とする座標系において、合算光の刺激純度及び輝度を表す移動点は、第１点４３１、第２点４３２、第３点４３３、及び第１点４３１を結ぶパス上を、第１点４３１、第２点４３２、第３点４３３、及び第１点４３１の順に循環的に移動する。
【００２８】
パス４３０において、第１点４３１から第２点４３２の期間（期間Ｐ１）においては、刺激純度４１０が単調に増加し、輝度４２０は一定である。第２点４３２から第３点４３３の期間（期間Ｐ２）においては、刺激純度４１０が一定であり、輝度４２０は単調に増加する。第３点４３３から第１点４３１の期間（期間Ｐ３）においては、刺激純度４１０及び輝度４２０が単調に減少する。
【００２９】
図４のパターン２による合算光は、期間Ｐ１は鮮やかであり、期間Ｐ２は明るく、期間Ｐ３はごく暗いといえる。このため、明るく、鮮やかな状態変化ステップが多く、膨張感を感じやすい。少し緩やかに明るくなるため、大きな伸びの動作に向いている。
【００３０】
パターン３
図５は、合算光の刺激純度５１０、合算光の輝度５２０、及び合算光の刺激純度及び輝度を順序対として得られる移動点の軌跡であるパス５３０を示す図である。時刻ｔ１〜ｔ２を期間Ｐ１、時刻ｔ２〜ｔ３を期間Ｐ２、時刻ｔ３〜ｔ４を期間Ｐ３と呼ぶ。時刻ｔ１、ｔ２、ｔ３、及びｔ４は、パス５３０において第１点５３１、第２点５３２、第３点５３３、及び第１点５３１にそれぞれ対応する。
【００３１】
制御部１２２は、第１光源１３２が発する第１光及び第２光源１３４が発する第２光を合算した合算光の刺激純度及び輝度を、刺激純度５１０及び輝度５２０のように時間的に変化させる。刺激純度及び輝度を変数とする座標系において、合算光の刺激純度及び輝度を表す移動点は、第１点５３１、第２点５３２、第３点５３３、及び第１点５３１を結ぶパス上を、第１点５３１、第２点５３２、第３点５３３、及び第１点５３１の順に循環的に移動する。
【００３２】
パス５３０において、第１点５３１から第２点５３２の期間（期間Ｐ１）においては、刺激純度５１０及び輝度５２０が単調に増加する。第２点５３２から第３点５３３の期間（期間Ｐ２）においては、刺激純度５１０が一定であり、輝度５２０は単調に減少する。第３点５３３から第１点５３１の期間（期間Ｐ３）においては、刺激純度５１０が単調に減少し、輝度５２０は一定である。
【００３３】
図５のパターン３による合算光は、期間Ｐ１は明るく、期間Ｐ２は暗く、期間Ｐ３はごく暗いといえる。このため、暗く、くすむ状態変化ステップが多く、収縮感を感じやすい。急激に暗くなるため、急激な収縮動作に向いている。
【００３４】
パターン４
図６は、合算光の刺激純度６１０、合算光の輝度６２０、及び合算光の刺激純度及び輝度を順序対として得られる移動点の軌跡であるパス６３０を示す図である。時刻ｔ１〜ｔ２を期間Ｐ１、時刻ｔ２〜ｔ３を期間Ｐ２、時刻ｔ３〜ｔ４を期間Ｐ３と呼ぶ。時刻ｔ１、ｔ２、ｔ３、及びｔ４は、パス６３０において第１点６３１、第２点６３２、第３点６３３、及び第１点６３１にそれぞれ対応する。
【００３５】
制御部１２２は、第１光源１３２が発する第１光及び第２光源１３４が発する第２光を合算した合算光の刺激純度及び輝度を、刺激純度６１０及び輝度６２０のように時間的に変化させる。刺激純度及び輝度を変数とする座標系において、合算光の刺激純度及び輝度を表す移動点は、第１点６３１、第２点６３２、第３点６３３、及び第１点６３１を結ぶパス上を、第１点６３１、第２点６３２、第３点６３３、及び第１点６３１の順に循環的に移動する。
【００３６】
パス６３０において、第１点６３１から第２点６３２の期間（期間Ｐ１）においては、刺激純度６１０及び輝度６２０が単調に増加する。第２点６３２から第３点６３３の期間（期間Ｐ２）においては、刺激純度６１０が単調に減少し、輝度６２０は一定である。第３点６３３から第１点６３１の期間（期間Ｐ３）においては、刺激純度６１０及び輝度６２０が単調に減少する。
【００３７】
図６のパターン４による合算光は、期間Ｐ１は明るく、期間Ｐ２は灰色っぽく、期間Ｐ３はごく暗いといえる。このため、暗く、くすむ状態変化ステップが多く、収縮感を感じやすい。少し緩やかに暗くなるため、落ち着いた雰囲気を感じやすく、就寝前の緩やかな呼吸に向いている。
【００３８】
パターン１〜４においては、第１点、第２点、及び第３点のうちの２点において、刺激純度及び輝度のうちの１つが一定の値をとる。特に、第２点及び第３点に対応する時刻ｔ２と時刻ｔ３との間の期間Ｐ２は、呼吸の止めの様態に当たる。すなわち呼吸の止めの様態において、刺激純度及び輝度のうちの１つが一定であることによって、ユーザが呼吸の３様態を認識しやすくできる。
【００３９】
パターン５（パターン１〜４の変形）
図７は、合算光の刺激純度７１０、合算光の輝度７２０、及び合算光の刺激純度及び輝度を順序対として得られる移動点の軌跡であるパス７３０を示す図である。時刻ｔ１〜ｔ２を期間Ｐ１、時刻ｔ２〜ｔ３を期間Ｐ２ａ、時刻ｔ３〜ｔ４を期間Ｐ２ｂ、時刻ｔ４〜ｔ５を期間Ｐ３と呼ぶ。時刻ｔ１、ｔ２、ｔ３、ｔ４、及びｔ５は、パス７３０において第１点７３１、第２点７３２、第３点７３３、第２点７３２、及び第１点７３１にそれぞれ対応する。
【００４０】
制御部１２２は、第１光源１３２が発する第１光及び第２光源１３４が発する第２光を合算した合算光の刺激純度及び輝度を、刺激純度７１０及び輝度７２０のように時間的に変化させる。刺激純度及び輝度を変数とする座標系において、合算光の刺激純度及び輝度を表す移動点は、第１点７３１、第２点７３２、及び第３点７３３を結ぶパス上を、第１点７３１、第２点７３２、第３点７３３、第２点７３２、及び第１点７３１の順に往復するように移動する。
【００４１】
パス７３０において、第１点７３１から第２点７３２の期間（期間Ｐ１）においては、刺激純度７１０及び輝度７２０が単調に増加する。第２点７３２から第３点７３３の期間（期間Ｐ２ａ）においては、刺激純度７１０が単調に増加し、輝度７２０は一定である。第３点７３３から第２点７３２の期間（期間Ｐ２ｂ）においては、刺激純度７１０が単調に減少し、輝度７２０は一定である。第２点７３２から第１点７３１の期間（期間Ｐ３）においては、刺激純度７１０及び輝度７２０が単調に減少する。
【００４２】
パターン５は、パターン１の変形例である。パターン５による合算光は、期間Ｐ２ａ及びＰ２ｂにおいて、ユーザが止めの様態を意識しやすい。パターン５のように期間Ｐ２ａ及びＰ２ｂが同じパスを往復するパターンは、パターン１への適用には限定されず、他のパターン２〜４に適用してもよい。
【００４３】
パターン６（パスの辺が曲線）
図８は、合算光の刺激純度８１０、合算光の輝度８２０、及び合算光の刺激純度及び輝度を順序対として得られる移動点の軌跡であるパス８３０を示す図である。時刻ｔ１〜ｔ２を期間Ｐ１、時刻ｔ２〜ｔ３を期間Ｐ２、時刻ｔ３〜ｔ４を期間Ｐ３と呼ぶ。時刻ｔ１、ｔ２、ｔ３、及びｔ４は、パス８３０において第１点８３１、第２点８３２、第３点８３３、及び第１点８３１にそれぞれ対応する。
【００４４】
制御部１２２は、第１光源１３２が発する第１光及び第２光源１３４が発する第２光を合算した合算光の刺激純度及び輝度を、刺激純度８１０及び輝度８２０のように時間的に変化させる。刺激純度及び輝度を変数とする座標系において、合算光の刺激純度及び輝度を表す移動点は、第１点８３１、第２点８３２、第３点８３３、及び第１点８３１を結ぶパス上を、第１点８３１、第２点８３２、第３点８３３、及び第１点８３１の順に循環的に移動する。
【００４５】
パス８３０において、第１点８３１から第２点８３２の期間（期間Ｐ１）においては、刺激純度８１０及び輝度８２０が単調に増加する。第２点８３２から第３点８３３の期間（期間Ｐ２）においては、刺激純度８１０が単調に増加し、輝度８２０は前半では増加し、極大値をとってから後半では減少する。第３点８３３から第１点８３１の期間（期間Ｐ３）においては、刺激純度８１０及び輝度８２０が単調に減少する。
【００４６】
パターン６は、パターン１の変形例である。パターン１においてパス３３０は三角形であり、期間Ｐ１〜Ｐ３に対応する部分は直線である。これに対してパス８３０の期間Ｐ１〜Ｐ３に対応する部分は曲線である。具体的には期間Ｐ１及びＰ３ではパス８３０は、三角形の辺より内側に入り、期間Ｐ２ではパス８３０は、三角形の辺より外側にはらむ。パターン６のように、さまざまな実施形態では、第１点、第２点、第３点、及び第１点を結ぶパスは、三角形には限定されず、曲線区間を含んでもよい。
【００４７】
加えて、隣接する期間のパスは実質的に滑らかに接続されてもよい。例えば、第２点８３２において、期間Ｐ１のパスと期間Ｐ２のパスとは、尖った点を形成せずに、実質的に滑らかに接続されてもよい。本明細書で「実質的に滑らかに」とは、合算光を見るユーザの目に滑らかに感じる程度であればよく、微小な尖った点を排除するようには解釈されない。ここでパスの尖った点は、刺激純度又は輝度がステップ状に（すなわち離散的に）変化することによって、生じ得る。なお色相に依存して、ユーザが知覚できる刺激純度又は輝度の変化量は変わる。よって、ユーザがより鈍感な色相においては、より大きい尖った点であってもユーザには滑らかに見えることがあり得る。
【００４８】
パターン６のようにパスの一部が三角形の辺の内側又は外側を通るパターンは、パターン１への適用には限定されず、他のパターン２〜４に適用してもよい。
【００４９】
周期の変化
図９は、合算光の刺激純度９１０、及び合算光の輝度９２０を示す図である。制御部１２２は、第１光源１３２が発する第１光及び第２光源１３４が発する第２光を合算した合算光の刺激純度及び輝度を、刺激純度９１０及び輝度９２０のように時間的に変化させる。図３のパターン１は、期間Ｐ１〜Ｐ３の和（「周期」という）が一定のままだった。図９では、期間Ｐ１〜Ｐ３の和を周期ＰＴ１，ＰＴ２，ＰＴ３，…，ＰＴｉ（ｉ＝自然数）とする。図９のパターンを用いる実施形態では、周期ＰＴｉが時間経過とともに大きくなる。これによりユーザは、徐々に沈静化していくことを感じやすくなる。
【００５０】
図９とは逆に、周期ＰＴｉが時間経過とともに小さくなってもよい。これによりユーザは、徐々に覚醒化していくことを感じやすくなる。
【００５１】
ある実施形態では、制御部１２２は、周期ＰＴｉを音楽のテンポに応じて変化させてもよい。例えば、照明装置１００と共に用いる再生装置が再生する音楽のテンポ情報を抽出することによって、周期ＰＴｉを再生されている音楽のテンポにふさわしい値に設定することができる。これによって、ユーザは、音楽と合わせた合算光の変化を感じることができ、より呼吸の３様態を感じやすくなったり、リラックス感を感じやすくなったりできる。
【００５２】
イントロ期間、アウトロ期間
例えば図３〜図６に示されるパターンで合算光の刺激純度及び輝度を変化させる期間を主期間とする。主期間では、前述のパターン１〜４等を用いることで、例えば、ユーザが呼吸の３様態をはっきり認識しながら、リラックスできる。この主期間の前に導入のための予備期間としてイントロ期間を置いてもよい。またこの主期間の後に沈静のための予備期間としてアウトロ期間を置いてもよい。イントロ期間及びアウトロ期間では、ユーザは、呼吸の止めの様態を特に意識しないようなパターンを使ってもよい。これにより主期間における止めの様態の存在をより効果的にユーザに認識させることができる。
【００５３】
ハードウェア
図１０は、制御部１２２の構造を示すブロック図である。制御部１２２は、プロセッサ１０１０、メモリ１０２０、及び入出力部１０３０を含む。プロセッサ１０１０は、例えば図２に示すような色度変化を光源１３０の出力に与える処理を実行する。メモリ１０２０は、プロセッサ１０１０によって実行される処理に用いられる命令及びパラメータを格納する。入出力部１０３０は、プロセッサ１０１０の出力に基づいて制御を生成し、駆動部１２４に出力する。入出力部１０３０は、プロセッサ１０１０の中に組み込まれていてもよい。
【００５４】
制御部１２２と駆動部１２４とが一つの要素（例えば半導体チップ）として実現されてもよい。代替として制御部１２２と駆動部１２４とが一つの筐体内に設けられてもよい。
【００５５】
ソフトウェア
図１１は、本開示による色度変化（例えば色度変化２００）を光源１３０の出力に与える処理のアルゴリズム１１００を示すフロー図である。１１１０において、プロセッサ１０１０は、入出力部１０３０からデータを受け取る。このデータは、例えば、ユーザが入力装置１１０に入力した照明装置１００の動作モードを示すデータである。１１２０において、プロセッサ１０１０は、メモリ１０２０から色度変化に関するデータを受け取る。１１３０において、プロセッサ１０１０は、受け取られたデータに基づいて駆動部１２４に制御信号を出力する。必要に応じ、制御が１１３０から１１１０に戻ることによって、アルゴリズム１１００を繰り返し実行してもよい。
【００５６】
本開示における装置、システム、又は方法の主体は、コンピュータ（例えば制御部１２２）を備えている。このコンピュータがプログラム（例えばアルゴリズム９００）を実行することによって、本開示における装置、システム、又は方法の主体の機能が実現される。コンピュータは、プログラムに従って動作するプロセッサを主なハードウェア構成として備える。プロセッサは、プログラムを実行することによって機能を実現することができれば、その種類は問わない。プロセッサは、半導体集積回路（ＩＣ）、又はＬＳＩ（large scale integration）を含む一つ又は複数の電子回路で構成される。複数の電子回路は、一つのチップに集積されてもよいし、複数のチップに設けられてもよい。複数のチップは一つの装置に集約されていてもよいし、複数の装置に備えられていてもよい。プログラムは、コンピュータが読み取り可能なＲＯＭ、光ディスク、ハードディスクドライブなどの非一時的記録媒体に記録される。プログラムは、記録媒体に予め格納されていてもよいし、インターネット等を含む広域通信網を介して記録媒体に供給されてもよい。
【符号の説明】
【００５７】
１００  照明装置
１２０  制御装置
１２２  制御部
１２４  駆動部
１３０  光源
１３２  第１光源
１３４  第２光源
【図１】
2019146729.tif 000003
【図２】
2019146729.tif 000004
【図３】
2019146729.tif 000005
【図４】
2019146729.tif 000006
【図５】
2019146729.tif 000007
【図６】
2019146729.tif 000008
【図７】
2019146729.tif 000009
【図８】
2019146729.tif 000010
【図９】
2019146729.tif 000011
【図１０】
2019146729.tif 000012
【図１１】
2019146729.tif 000013